(57)【要約】【課題】非撮影時（通電状態）における最適な冷却構造を有する撮像装置を提供する。【解決手段】肩当てパッド２の移動用の可動機構近傍に、空冷ファン３１用の吸気口４もしくは排気口３が配置されており、肩当てパッド２が第一の位置から第二の位置へ移動したことを、肩当てパッド２の移動を検知する検知手段で検知して、空冷ファン３１が高速回転する。肩当てパッド２が第二の位置にある時に、第一の位置にある時よりも空冷ファン３１を高回転で駆動する。【選択図】図９
2019140610.tif 000002
【特許請求の範囲】
【請求項１】
撮像素子により被写体を撮影する撮像手段と、
強制空冷のための空冷ファンと、
前記空冷ファンの回転数を制御する制御手段と、
前記空冷ファンを用いて空気を通すためのダクトと、
撮影時に用いる第一の位置と待機時に用いる第二の位置とを
移動可能に構成された撮影者の肩を保護するための肩当てパッドと、
前記肩当てパッドの移動を検知する検知手段とを有し、
前記肩当てパッドの移動用の可動機構近傍に
前記空冷ファン用の吸気口もしくは排気口が配置されており、
前記肩当てパッドが前記第二の位置にある時に、前記第一の位置にある時よりも前記空冷ファンを高回転で駆動することを特徴とする撮像装置。
【請求項２】
前記肩当てパッドが第二の位置にある時に、前記第一の位置にある時よりも前記吸気口もしくは排気口の開口が広がっていることを特徴とする請求項１記載の撮像装置。
【請求項３】
前記空冷ファンを駆動したとき、前記肩当てパッドの移動方向と略同一方向に排気を行い、前記肩当てパッドの移動方向と略垂直方向には排気しないことを特徴とする請求項１または請求項２の何れか記載の撮像装置。
【請求項４】
前記肩当てパッドが、可動軸と、撮影者の肩に接触するクッション部とで形成されていることを特徴とする請求項１または請求項２の何れか記載の撮像装置。
【発明の詳細な説明】
【技術分野】
【０００１】
本発明は、可動式の肩当てパッドを有する撮像装置に関するものである。
【背景技術】
【０００２】
デジタルビデオカメラ等の撮像装置は、近年の小型化の要請により、撮像素子が実装された回路基板や、制御信号や画像信号を処理する電子部品が実装されたメイン回路基板の配置スペースが小さくなり、これらの基板が密集状態で配置されている。発熱量に対して、撮像装置の体積が十分に大きくない場合、自然放熱だけでは冷却効果が不足である場合がある。そこで、熱源周辺に空気流路を形成し、空冷ファンを搭載し、強制空冷によって冷却する手段も提案されている。より高い冷却効果が見込めること等、熱伝導による冷却手段と比較して有利な点も多い。
【０００３】
また、従来の肩当てパッドを有する撮像装置において、本体の小型化やデザイン性の向上、また、撮像装置内へのゴミの侵入や雨水の侵入を防ぐことを目的として、特許文献１では、冷却ファンの排気口または吸気口を肩当てパッド機構周辺に配置したものが提案されている。  
【０００４】
また、例えば報道等のカメラマンは、いつ撮影タイミングになるか判らない為、撮像装置を下ろすことができない。そのため、撮像装置を持ち上げ肩に掛けるようにして休憩するが、撮像装置はこの姿勢を考慮していないため、腕も肩も疲れる。そこで、特許文献２では、肩当てパッドが移動可能な構造の撮像装置が提案されている。
【０００５】
また、報道等のカメラマンが使用する撮像装置は、待機中でもすぐに撮影が開始できるよう、カメラマンの休憩時も電源が入っている状態でなければならない。撮像装置が常に電源が入っている状態となると、撮像装置はより高温となり、冷却効果が不足する可能性がある。
【先行技術文献】
【特許文献】
【０００６】
【特許文献１】特開２００６−１２８７４９号公報
【特許文献２】特開平１１−２８４８９２号公報
【発明の概要】
【発明が解決しようとする課題】
【０００７】
しかしながら、撮影中の撮像装置の空冷ファンをより高回転で駆動すると、騒音などが問題となる可能性がある。また排気口や吸気口の開口を広げると、撮像装置内へゴミや雨水が侵入する可能性が高まる、という問題があった。
【０００８】
そこで本発明は、上記課題を鑑み、非撮影時（通電状態）における最適な冷却構造を有する撮像装置を提供することを目的としている。
【課題を解決するための手段】
【０００９】
本発明は、上記課題を解決するためになされたものであり、撮像素子により被写体を撮影する撮像手段と、強制空冷のための空冷ファンと、前記空冷ファンの回転数を制御する制御手段と、前記空冷ファンを用いて空気を通すためのダクトと、撮影時に用いる第一の位置と待機時に用いる第二の位置とを移動可能に構成された撮影者の肩を保護するための肩当てパッドと、前記肩当てパッドの移動を検知する検知手段とを有し、前記肩当てパッドの移動用の可動機構近傍に前記空冷ファン用の吸気口もしくは排気口が配置されており、前記肩当てパッドが前記第二の位置にある時に、前記第一の位置にある時よりも前記空冷ファンを高回転で駆動することを特徴とする。
【発明の効果】
【００１０】
本発明によれば、非撮影時（通電状態）における最適な冷却構造を有する撮像装置を提供することができる。
【図面の簡単な説明】
【００１１】
【図１】撮像装置１のブロック図
【図２−１】肩当てパッド２が第一の位置にある時の撮像装置１の外観図
【図２−２】肩当てパッド２が第一の位置にある時の撮像装置１の外観図
【図３−１】肩当てパッド２が第二の位置にある時の撮像装置１の外観図
【図３−２】肩当てパッド２が第二の位置にある時の撮像装置１の外観図
【図４】本発明の実施例における撮影時の撮影姿勢を示す図
【図５】本発明の実施例における非撮影時の休憩姿勢を示す図
【図６】肩当てパッド２が第一の位置にある時の撮像装置の断面図
【図７】肩当てパッド２が第二の位置にある時の撮像装置の左側面側断面図
【図８】肩当てパッド２が第二の位置にある時の撮像装置の断面斜視図
【図９】空冷ファン３１の回転数制御の流れを示すフローチャート
【図１０】撮像装置１を上面側から見た断面図
【図１１】肩当てパッド２の外観図
【図１２】撮像装置１を正面側から見た断面図
【発明を実施するための形態】
【実施例】
【００１２】
以下、本発明の好適な一実施形態について、撮像装置に本発明を適用し、図面を参照しながら詳細に説明する。尚、本実施形態における撮像装置において、被写体側から見た面を正面、正面と対向する面を背面、正面から見て右側の面を右側面、正面から見て左側の面を左側面、正面から見て上側の面を上面、正面から見て下側の面を下面、と各々称する。なお、説明に関しては、本発明に関連する部分を中心に説明を行い、発明と直接関連しない部分に関しては非図示とし説明を省略している。
【００１３】
（ブロック図）
以下、本発明の実施形態を説明する。
図１は、本発明の実施例１に係る撮像装置１の構成を示すブロック図である。図１に示すように、撮像装置１は、レンズ部３０、光量調節部４１、センサ部３８、本体制御部４０、空冷ファン３１、肩当てパッド２、検知スイッチ３３、電源部４２、操作部３９、表示部４３等からなる。  
【００１４】
レンズ部３０に入射した被写体光は、光量調節部４１を通過し、センサ部３８の撮像素子に結像して光電変換される。操作部３９は、撮影者が操作行う、例えば記録開始スイッチなどが含まれる。操作部３９が操作されると、その情報は本体制御部４０へ伝達され、本体制御部４０はこの操作情報を元に記録開始等の撮影制御を行う。
【００１５】
本体制御部４０は、画像・音声情報の入出力、圧縮・変換等の画像処理、記録・再生等の録再処理等に代表される情報処理を行う。センサ部３８から本体制御部４０に画像情報が出力されると、本体制御部４０は、この画像情報に対して画像処理等の情報処理を行う。本体制御部４０は、伝達された画像情報に応じて、例えば絞りユニットを動作させ、撮像画像の明度の調整を行わせる等のレンズ部３０の制御を行う。撮影画像を記録する場合は、本体制御部４０が記録メディア４５へ画像情報を伝達し撮影画像を記録させる。
【００１６】
光量調節部４１は切り替え式のＮＤフィルタ等が含まれる。表示部４３は、本体制御部４０からの指示に基づき、画像情報の表示を行う。肩当てパッド２は検知スイッチ３３のための検知スイッチ当接部２ａ、振動子２ｆ等を有する。検知スイッチ３３は、肩当てパッド２が第一の位置にあるか、第二の位置にあるかを肩当てパッド２の検知スイッチ当接部２ａとの当接状況によって検知する。検知スイッチ当接部２ａ、第一の位置及び、第二の位置の詳細は後述する。
【００１７】
肩当てパッド２が第一の位置にあるか、第二の位置にあるかの情報は、本体制御部４０に伝達され、この情報に基づき、本体制御部４０は、空冷ファン３１の回転数の駆動制御を行う。また、本体制御部４０は、上記の情報に基づき、レンズ部３０の絞りユニットを動作させるまた、本体制御部４０は、上記の情報に基づき、光量調節部４１の切り替えを行う。また、本体制御部４０は、上記の情報に基づき、操作部３９の操作可能の有無の切り替えを行う。また、本体制御部４０は、上記の情報に基づき表示部４３の表示内容の切り替え及び、電源をオン／オフさせる。
【００１８】
電源部４２はＤＣ端子やバッテリ端子等が含まれる。ＤＣ端子では、外部電源ケーブルを介して外部電源より電力を得ることが可能である。また、バッテリ端子では、電源ユニットのバッテリより電力を得ることが可能である。電源部４２で得られる電力は、本体制御部４０へ電送され、本体制御部４０により各駆動要素に適した電圧に電圧変換が行われた後、各駆動要素の電源として各駆動要素へ電送される。
【００１９】
（肩当てパッドが第一及び第二の位置にある時の撮像装置外観の説明）
図２−１（ａ）は、肩当てパッド２が第一の位置にある時の撮像装置１の外観斜視図であり、図２−１（ｂ）は、正面図であり、図２−２（ｃ）は、左側面図であ。図３−１（ａ）は、肩当てパッド２が第二の位置にある時の撮像装置１を左側面側から見た外観斜視図であり、図３−１（ｂ）は、下側から見た外観斜視図であり、図３−２（ｃ）は、正面下側から見た図である。図２−１（ａ）、（ｂ）、図２−２（ｃ）に及び図３−１（ａ）、（ｂ）、図３−２（ｃ）に示すように、撮像装置１は、可動式の肩当てパッド２、排気口３、吸気口４等を有する。
【００２０】
ここで、図２−１（ａ）、（ｂ）、図２−２（ｃ）に及び図３−１（ａ）、（ｂ）、図３−２（ｃ）に示した通り、肩当てパッド２は撮像装置１の下面側に配置され、図で示したように前後に回動する。本実施例では肩当てパッド２は回動移動としたが、並進移動等、可動方式はこれに限定されない。なお、肩当てパッド２の可動機構については公知の技術のため、説明は省略する。
【００２１】
また、吸気口４は、左側面部に配置されている。また、図３−１（ｂ）に示した通り、排気口３は肩当てパッド２の可動機構近傍に位置しており、当該個所より排気を行う構造となっている。尚、本実施例では肩当てパッド２の可動機構近傍に排気口３を、左側面部に吸気口４を配置しているが、肩当てパッド２の可動機構近傍に吸気口を、左側面部に排気口を配置してもよい。
【００２２】
（撮影時の撮影姿勢の説明）
図４は撮影時の撮影姿勢を示す図である。図４に示すように、撮影者は撮像装置１の下方に位置しており、第一の位置にある肩当てパッド２を、右肩部２１に載せることで撮像装置１を安定させ、右手２２で撮像装置１の前方レンズ部３０の左側面部に構成された、グリップ部３７を右手２２で支持した状態で撮影を行う。
【００２３】
この状態においてはグリップ部３７において、撮像装置１の前側の重量を支えているため、右腕２３が疲れてしまう。よって、撮影が長時間に渡ってしまった場合、撮影者にかかる負担は非常に大きなものとなってしまう。尚、本実施例では右利きの撮影者を想定しているが、これに限定されない。
【００２４】
（非撮影時の休憩姿勢の説明）
図５は非撮影時の休憩姿勢を示す図である。前述した通り、撮影時に撮影者にかかる負担は非常に大きいため、非撮影時には撮像装置１の前方、レンズ部３０を上方に押し上げ、撮像装置１の重心を肩当てパッド２に近づけ、撮像装置１を傾けた状態とすることで、撮像装置１を撮影者の右肩部２１で支え、撮影者の右腕２３にかかる負担を軽減した姿勢をとることが多い。
【００２５】
図５で示した通り、撮像装置１はレンズ部３０を上方に向けることに伴って、肩当てパッド２が回動し、第二の位置となる構造となっている。これにより、撮像装置１が傾いた状態であっても撮影者の右肩部２１には肩当てパッド２がしっかりと当っており、撮影者は安定した状態で休憩することができる。
【００２６】
（肩当てパッドが第一及び第二の位置にある時の本発明の撮像装置の断面図の説明）
図６は図２−１（ｂ）のＡ−Ａ断面であり、肩当てパッド２が第一の位置にある時の撮像装置１を左側面から見たの断面図である。図７は図３−２（ｃ）のＢ−Ｂ断面であり、肩当てパッド２が第二の位置にある時の撮像装置１を左側面から見たの断面図である。
【００２７】
図６及び図７に示した通り、排気口３近傍に空冷ファン３１が配置されている。空冷ファン３１の内部には、不図示の本体制御部４０と電気的に接続されているモータ部（不図示）が保持されており、羽根を回転させることにより圧力差を生み出し空気を送っている。また、空冷ファン３１はホール素子（不図示）、羽根に磁石（不図示）、が備えられ、羽根の回転数を検知しフィードバック制御する手段を備えている。
【００２８】
以上の構成により、空冷ファン３１は、空気を吸込側から吸気し、吐出側から排出する機能を持ち、かつ回転数を制御可能となっている。空冷ファン３１はダクト３２と接続される構造となっている。ダクト３２は、吸気部と排気部を有しており、吸気部は吸気口４と、排気部は排気口３とつながっており、撮像装置１の外部からの空気をダクト３２の内部に送出し、排気口３より排気する構成となっている。矢印４４は空冷ファン３１を駆動した際の空気の流れを示す。
【００２９】
前述したように撮像装置１の左側面部に配置された吸気口４から吸気した空気は、Ｌ字に折れ曲がったダクト３２によって背面方向に運ばれる。このＬ字形状についての詳細は熱源の冷却についての詳細と共に後述する。さらに、ダクト３２は肩当てパッド２近傍で下面方向に向けてＬ字に折れ曲がっており、その先で空冷ファン３１の吸込側につながっている。その後、空冷ファン３１の吐出側から排出された空気は、図６に示すように、撮像装置１の本体部と、肩当てパッド２の隙間から排気される構造となっている。このような構造を取ることで、撮像装置１内へのゴミの侵入や雨水が侵入する可能性を低く抑えることが可能となる。
【００３０】
また、図７に示した通り、肩当てパッド２が第二の位置にある時には排気口３と肩当てパッド２の隙間が広がることとなる。これにより、強制空冷のための排気用開口が広がり、撮像装置１の内部に対する吸排気を効率的に行うことができる冷却構造となっている。熱源の冷却についての詳細は後述する。
【００３１】
（肩当てパッドが第二の位置となったことを検知するための検知手段の説明）
図８は図３−２（ｃ）のＣ−Ｃ断面を斜視した図であり、肩当てパッド２が第二の位置にある時の撮像装置１の断面を示す。図８に示した通り、肩当てパッド２が第一の位置にある状態から第二の位置に移動するに伴って、肩当てパッド２の検知スイッチ当接部２ａが検知スイッチ３３と当接することで、肩当てパッド２が第二の位置となったことを検知する構造となっている。
【００３２】
（肩当てパッドの位置による空冷ファンの回転数制御の流れを示すフローチャートの説明）
図９は肩当てパッド２の位置による空冷ファン３１の回転数制御の流れを示すフローチャートである。以下、ステップごとに説明する。
Ｓ１０１：前述した検知スイッチ３３検知手段により肩当てパッド２が第二の位置にあるかどうか判定を行う。
Ｓ１０２：Ｓ１０１により肩当てパッド２が第二の位置にあると判定された場合に、空冷ファン３１の回転数を制御する制御手段により空冷ファン３１を高速回転させる。
Ｓ１０３：Ｓ１０１により肩当てパッド２が第二の位置にないと判定された場合に、空冷ファン３１の回転数を制御する制御手段により空冷ファン３１を通常回転させる。
Ｓ１０４：続行の可否を判定する。続行の場合はＳ１０１に戻る。続行しない場合は終了となる。
【００３３】
以上より、例えば、肩当てパッド２が第一の位置から第二の位置へ移動した時には、空冷ファン３１は通常回転から高速回転へと切り替わる。肩当てパッド２が第一の位置にあるときには空冷ファン３１が通常回転であるため、撮影時に騒音等が問題となることがなく、休憩時に撮像装置１の冷却を行うことが出来る。
【００３４】
また、図６、図７で説明した様に、撮像装置１の肩当てパッド２が第一の位置から第二の位置へ移動した際には、強制空冷のための排気用開口が広がる構成となっている。そのため、肩当てパッド２が第二の位置にあるとき、空冷ファン３１が高回転で駆動され、高風量となった際に、排気用の開口が広がることとなり、効率的に撮像装置１の冷却を行うことが出来る。これらの構成により、休憩姿勢時の撮像装置１の冷却を効率的に行う仕組みとなっている。
【００３５】
（熱源冷却の詳細説明）
図１０は図２−１（ｂ）のＤ−Ｄ断面であり、撮像装置１を上方から見た断面を占めす。また、矢印４４は空冷ファン３１を駆動した際の空気の流れを示す。図１０に示した通り、撮像装置１の前方左側面部に吸気口４がを配されている。そして、吸気口４において光軸と略直行する方向に吸気を行う。次に、ダクト３２は吸気口４より撮像装置１の後方へ向かってＬ字に折れ曲がっている形状となっている。そして、図６及び図７に示した通り、ダクト３２は排気口３に向かってさらに下方向にＬ字に折れ曲がっている形状となっている。
【００３６】
ここで、図１０に示した通り、ダクト３２の３面それぞれに対して、第一の熱源３４、第二の熱源３５、第三の熱源３６が配されている。本発明の実施例における第一の熱源３４は、センサ部３８である。センサ部３８は、撮像装置１の撮影画像の高画質化に伴い、撮像素子の消費電力が大きくなり、発熱量も増大している。撮像素子は、一般的に高温になるほど性能が低下するため、撮像素子で発生した熱を放散する必要がある。センサ部３８は不図示の放熱ゴムを利用して、ダクト３２の正面部に伝熱している。
【００３７】
本発明の実施例における第二の熱源３５は主基板である。主基板はすべての電子デバイスと電気的に接続されるため、多くのＩＣが実装され撮像装置１内で最も面積が大きい基板である。主基板はセンサ部３８からの信号を処理するためのフロントエンドＩＣや、映像に対して色調整などの処理を行うための映像処理ＩＣ、等が実装されており、図１に示したブロック図で説明した、本体制御部４０の機能を有している。フロントエンドＩＣ、映像処理ＩＣ等は消費電力が特に大きく、非常に発熱するＩＣであるので、ダクト３２側に実装し、不図示の放熱ゴムを利用してＩＣの熱をダクト３２に伝熱している。主基板の形状やＩＣのレイアウトの図示は省略する。
【００３８】
本発明の実施例における第三の熱源３６はサブ基板である。サブ基板には、各外部入出力に最適な映像フォーマットの変換を行うバックエンドＩＣや、フォーマット変換ＩＣなど消費電力が比較的大きいものが実装されており、これらのＩＣは本体ダクト３２側に実装し、不図示の放熱ゴムを利用してＩＣの熱をダクト３２に伝熱している。サブ基板の形状やＩＣのレイアウトの図示は省略する。これにより、ダクト３２を冷却することにより、第一の熱源３４、第二の熱源３５、第三の熱源３６を冷却することができる。
【００３９】
ダクト３２の内部にはフィンが形成されており、空気と熱交換を行う。前述したようにダクト３２の吸気部は吸気口４と、排気部は排気口３とつながっている。このため、熱交換により温められた空気を、空冷ファン３１を駆動することで撮像装置１から排出することが出来る。
この様な構成により第一の熱源３４、第二の熱源３５、第三の熱源３６で発生した熱を効率的に排熱することが可能となる。なお、本実施例では、熱源を３つと限定したが、この限りではなく、熱源の配置に関しても限定はしない。
【００４０】
（肩当てパッドの説明）
図１１は肩当てパッド２の外観図である。肩当てパッド２は、断熱部材で構成されているクッション部２ｂ、可動軸２ｃ、可動軸２ｃにおける開口部２ｄ、可動軸２ｃにおける立ち壁部２ｅからなる。このため、可動軸２ｃが金属部材で構成されていたとしても、クッション部２ｂが断熱部材で構成されていることから、撮影者へ熱を伝えてしまうことが無いような構造となっている。
【００４１】
（肩当てパッドが第一の位置にある時の本発明の撮像装置の断面図の説明）
図１２は、図２−２（ｃ）におけるＥ−Ｅ断面図であり、撮像装置１を全面からみた断面図である。また、矢印４４は空冷ファン３１を駆動した際の空気の流れを示す。図１２に示した通り、可動軸２ｃは開口部２ｄが排気口３の下面部に配置され、左右側面方向は、立ち壁部２ｅによって閉じた構造となっている。よって、肩当てパッド２が第一の位置にある時、排気口３より排気された温かい空気は、図６に示したように、開口部２ｄを通った後、正面方向及び背面方向へ排気されることとなる。
【００４２】
また、肩当てパッド２が第二の位置にある時、排気口３より排気された温かい空気は、図７で示したように、開口部２ｄを通った後、背面方向へ排気されることとなる。図４及び図５で説明した様に、撮影者は撮像装置１の側面方向に位置しており、立ち壁部２ｅにより、温かい空気が撮影者に吹きかかることがない。これにより、撮影者は温かい空気が当たり続けることで不快な思いをするようなことは無く、快適に撮影を続けることができる。
【００４３】
以上説明したように、本発明によれば、空冷ファン３１を高回転で駆動することで、撮影状態において騒音などが問題となる可能性が低く、撮像装置１内へゴミや雨水が侵入する可能性が低く、撮像装置１の冷却によって生じた温かい空気が撮影者に吹きかかることが少なく快適に撮影することが可能な、非撮影時（通電状態）における最適な冷却構造を有する撮像装置を提供することができる。
【符号の説明】
【００４４】
１  撮像装置
２  肩当てパッド
３  排気口
４  吸気口
２１  右肩部
２２  右手
２３  右腕
３０  レンズ部
３１  空冷ファン
３２  ダクト
３３  検知スイッチ
３４  第一の熱源
３５  第二の熱源
３６  第三の熱源
３７  グリップ部
３８  センサ部
３９  操作部
４０  本体制御部
４１  光量調節部
４２  電源部
４３  表示部
４４  矢印
４５  記録メディア
【図１】
2019140610.tif 000003
【図２−１】
2019140610.tif 000004
【図２−２】
2019140610.tif 000005
【図３−１】
2019140610.tif 000006
【図３−２】
2019140610.tif 000007
【図４】
2019140610.tif 000008
【図５】
2019140610.tif 000009
【図６】
2019140610.tif 000010
【図７】
2019140610.tif 000011
【図８】
2019140610.tif 000012
【図９】
2019140610.tif 000013
【図１０】
2019140610.tif 000014
【図１１】
2019140610.tif 000015
【図１２】
2019140610.tif 000016